(57)【要約】【課題】  フレームの移動に伴って、断面Ｕ字状に折り曲げられた可撓性基板がシャーシの側を摺動する際の摺動抵抗力を低減可能な光記録ディスク装置を提供すること。【解決手段】  光記録ディスク装置において、光ヘッド機構２が搭載されたフレーム３を光記録ディスク９の半径方向に移動した際、可撓性基板４は、断面Ｕ字状に折り曲げられた状態でシャーシ４の側の上カバー６３の下面を摺動する。この被摺動領域６０には、可撓性基板４の摺動方向に延びた矩形の開口６０１が形成されたテープ６００が貼られているため、上カバー６２と可撓性基板４との接触面積が狭い。【選択図】    図４
2005078711.tif 000002
【特許請求の範囲】
【請求項１】
光源からの出射光を光記録ディスクに収束させる光学系を備えた光ヘッド機構と、該光ヘッド機構が搭載されたフレームと、前記フレームが光記録ディスクの半径方向に駆動される際に当該フレームを案内するガイド軸と、前記フレーム、および前記ガイド軸が搭載されたシャーシと、断面Ｕ字状に折り曲げられた状態で両端部のうちの一方端が前記シャーシの側に接続されているとともに、他方端が前記フレームあるいは前記光ヘッド機構に接続され、前記フレームの移動に伴って前記シャーシの側を摺動する可撓性基板とを有する光記録ディスク装置において、
前記フレームが移動する際に前記シャーシの側で前記可撓性基板が摺動する被摺動領域には、当該可撓性基板との接触面積を低減した被摺動面が構成されていることを特徴とする光記録ディスク装置。
【請求項２】
請求項１において、前記被摺動面は、前記被摺動領域に貼られたテープによって表面に凹凸が形成されたことにより接触面積が低減されていることを特徴とする光記録ディスク装置。
【請求項３】
請求項１において、前記被摺動面は、前記被摺動領域自身に施された凹凸加工により接触面積が低減されていることを特徴とする光記録ディスク装置。
【請求項４】
請求項１ないし３のいずれかにおいて、前記可撓性基板は、少なくとも前記折り曲げ部分の幅寸法が前記一方端側の幅寸法に比較して狭いことを特徴とする光記録ディスク装置。
【発明の詳細な説明】
【技術分野】
【０００１】
本発明は、ＣＤやＤＶＤなどの光記録ディスクの再生、記録に用いられる光記録ディスク装置に関するものである。
【背景技術】
【０００２】
ＣＤやＤＶＤなどの光記録ディスクの記録、再生等に用いられる光記録ディスク装置は、一般に、光源からの出射光を光記録ディスクに収束させる光学系を備えた光ヘッド機構と、この光ヘッド機構が搭載されたフレームと、このフレームが光記録ディスクの半径方向に駆動される際にフレームを案内するガイド軸と、フレーム、およびガイド軸が搭載されたシャーシとを有している（例えば、特許文献１参照）。
【０００３】
このような光記録ディスク装置では、フレーム上の光ヘッド機構に対して給電する必要があるため、図９に示すように、シャーシ６の側に固定された基板（図示せず）とフレーム３あるいは光ヘッド機構２とはフレキシブル配線基板などといった可撓性基板４で接続される。ここで、フレーム３は、光記録ディスクの半径方向（矢印Ｒで示す）に移動するため、可撓性基板４は、断面Ｕ字状に折り曲げられた状態で、両端部のうちの一方端４１がシャーシ６の側に接続され、他方端４２がフレーム３あるいは光ヘッド機構２に接続されている。このため、可撓性基板４は、フレーム３の移動に伴って、断面Ｕ字状に折り曲げられた状態でシャーシ６側の上カバー６３の下面を摺動することになる。
【特許文献１】特許第３０００９８４号公報
【発明の開示】
【発明が解決しようとする課題】
【０００４】
しかしながら、光記録ディスク装置をノートパソコンなどに搭載するには、その全体の厚さ寸法を例えば２０ｍｍ程度にまで薄型化する必要があるため、可撓性基板４は、かなり狭い空間内で断面Ｕ字形状に折り曲げられる。このような状態において、可撓性基板４の断面Ｕ字状の折り曲げ部分４０で発生する形状復帰力はかなり大きい。このため、可撓性基板４が上カバー６３に押し付けられる力が大きいので、可撓性基板４と上カバー６３との間に発生する摺動抵抗力がフレーム３を光記録ディスクの半径方向Ｒに移動させる際の動きを阻害するという問題点がある。このような問題点は、フレーム３を移動させるためのモータの定格を大きくする必要を発生させ、かつ、信頼性を低下させることになるので、好ましくない。
【０００５】
そこで、フレーム３が移動する際に可撓性基板４が摺動する上カバー６３の被摺動領域６０に、図９に一点鎖線で示すように、摩擦係数の小さなテープ６００Ａを貼ることが検討されている。
【０００６】
しかしながら、このようなテープ６００Ａを上カバー６３の被摺動領域６０に貼った場合、摩擦係数は小さくなるが、逆に、可撓性基板４は、テープ６００Ａの厚さ分だけより狭い空間内で折り曲げられることになる結果、断面Ｕ字状の折り曲げ部分４０で発生する形状復帰力が大きくなるので、摺動抵抗力を低減する効果が小さいという問題点がある。
【０００７】
以上の問題を鑑みて、本発明の課題は、フレームの移動に伴って、断面Ｕ字状に折り曲げられた可撓性基板がシャーシの側を摺動する際の摺動抵抗力を低減可能な光記録ディスク装置を提供することにある。
【課題を解決するための手段】
【０００８】
上記の課題を解決するために、本発明の光記録ディスク装置では、光源からの出射光を光記録ディスクに収束させる光学系を備えた光ヘッド機構と、該光ヘッド機構が搭載されたフレームと、前記フレームが光記録ディスクの半径方向に駆動される際に当該フレームを案内するガイド軸と、前記フレーム、および前記ガイド軸が搭載されたシャーシと、断面Ｕ字状に折り曲げられた状態で、両端部のうちの一方端が前記シャーシの側に接続されているとともに、他方端が前記フレームあるいは前記光ヘッド機構の側に接続され、前記フレームの移動に伴って前記シャーシの側を摺動する可撓性基板とを有する光記録ディスク装置において、前記フレームが移動する際に前記シャーシの側で前記可撓性基板が摺動する被摺動領域には、当該可撓性基板との接触面積を低減した被摺動面が構成されていることを特徴とする。
【０００９】
本発明において、前記被摺動面は、前記被摺動領域に貼られたテープによって表面に凹凸が形成されたことにより接触面積が低減されている構成を採用することが好ましい。このように構成すると、テープとして、摩擦係数の低いものを選択して使用することにより、摺動抵抗力を低減を図ることができる。この場合、テープの厚さの分だけより可撓性基板を狭い空間内で折り曲げることになるが、接触面積を低減してあるので、その分の摺動抵抗力を相殺できるため、摩擦係数の低いテープを使用したことの効果をそのまま生かすことができる。
【００１０】
本発明において、前記被摺動面は、前記被摺動領域自身に施された凹凸加工により接触面積が低減されていることが好ましい。このように構成すると、テープを貼った場合と比較して、部材点数を低減することができるので、組み立て工数を増やすことなく、摺動抵抗力を低減することができる。
【００１１】
本発明において、前記可撓性基板は、少なくとも前記折り曲げ部分の幅寸法が前記一方端側の幅寸法に比較して狭いことが好ましい。このように構成すると、可撓性基板とシャーシとの接触面積を低減でき、かつ、可撓性基板の折り曲げ部分で発生する形状復帰力を小さく抑えることができる。従って、可撓性基板がシャーシの側を摺動する際の摺動抵抗力をさらに低減することができる。
【発明の効果】
【００１２】
本発明の光記録ディスク装置では、フレームが移動する際にシャーシの側で可撓性基板が摺動する被摺動領域には、可撓性基板との接触面積を低減した被摺動面が構成されているため、可撓性基板の断面Ｕ字状の折り曲げ部分がシャーシの側を摺動する際の摺動抵抗力を低減することができる。
【発明を実施するための最良の形態】
【００１３】
図面を参照して、本発明を適用した光記録ディスク装置の一例を説明する。
【００１４】
（全体構成）
図１および図２は、本発明に係る光記録ディスク装置の概略斜視図、およびその要部を模式的に示す断面図である。
【００１５】
図１および図２に示すように、本形態の光記録ディスク装置１は、光源からの出射光を光記録ディスク９に収束させる光学系を備えた光ヘッド機構２と、この光ヘッド機構２が搭載されたフレーム３と、このフレーム３を光記録ディスク９の半径方向（矢印Ｒで示す）に案内する２本のガイド軸５１、５２と、光記録ディスク９が保持されるターンテーブル８３を備えたディスク駆動機構８と、フレーム３、２本のガイド軸５１、５２、およびディスク駆動機構８が搭載されたシャーシ６とを有しており、フレーム３、２本のガイド軸５１、５２、およびディスク駆動機構８は、シャーシ６側の上カバー６３と下カバー６４との間に配置されている。
【００１６】
ディスク駆動機構８は、スピンドルモータ８１と、このスピンドルモータ８１の回転軸８２に取り付けられたターンテーブル８３と、このターンテーブル８３上に載置された光記録ディスク９をチャッキングするディスクチャッキング機構８４とを備えており、スピンドルモータ８１がシャーシ６に固定されることにより、ディスク駆動機構８は、シャーシ６上に搭載されている。
【００１７】
フレーム３は、両端に２本のガイド軸５１、５２と係合する軸受部３１、３２が形成されており、２本のガイド軸５１、５２は、両端がシャーシ６に保持されている。これらの２本のガイド軸５１、５２のうち、一方のガイド軸５１（主ガイド軸）には雄ネジが形成されている一方、軸受部３１には、雌ネジが形成されており、ガイド軸５１の回転によって、フレーム３は、光記録ディスク９の半径方向に駆動される。
【００１８】
光ヘッド機構２は、対物レンズ２１を保持するレンズホルダ２２と、このレンズホルダ２２を複数本のワイヤにより、少なくともフォーカシング方向およびトラッキング方向に変位可能に支持するワイヤサスペンジョン方式の対物レンズ駆動機構（図示せず）と、光学モジュール２４とを備えている。また、光ヘッド機構２は、レンズホルダ２２をフォーカシング方向およびトラッキング方向に駆動する磁気駆動回路（図示せず）を備えているが、駆動機構などについては周知の構成を採用できるので、説明を省略する。
【００１９】
（可撓性基板とシャーシ側との摺動部分）
図３および図４は、図１に示す光記録ディスク装置の底面図、および図１に示す光記録ディスク装置に使用した可撓性基板の摺動部分の構造を模式的に示す説明図である。
【００２０】
図３および図４に示すように、光記録ディスク装置１では、フレーム３上の光ヘッド機構２に対して給電する必要があるため、シャーシ６の側に固定された基板（図示せず）とフレーム３あるいは光ヘッド機構２とは、フレキシブル配線基板などといった可撓性基板４で接続される。
【００２１】
ここで、フレーム３は、光記録ディスク９の半径方向Ｒに移動するため、可撓性基板４は、断面Ｕ字状に折り曲げられた状態で、両端部のうちの一方端４１がシャーシ６の側に接続され、他方端４２がフレーム３あるいは光ヘッド機構２に接続されている。このため、可撓性基板４は、フレーム３の移動に伴って、断面Ｕ字状に折り曲げられたまま、シャーシ４の側の上カバー６３の下面を摺動することになる。その際、可撓性基板４の断面Ｕ字状の折り曲げ部分４０には形状復帰力が発生し、可撓性基板４は、常に上カバー６３に弾性をもって押し付けられた状態にある。
【００２２】
このように用いられる可撓性基板４として、本形態では、折り曲げ部分４０から他方端４２の幅寸法Ｗ２が一方端４１の幅寸法Ｗ１より狭いものが用いられている。
【００２３】
また、可撓性基板４の周辺部分において、本形態では、フレーム３が移動する際に可撓性基板４が摺動する上カバー６３の被摺動領域６０には、可撓性基板４の摺動方向に延びた矩形の開口６０１が形成されたテープ６００が貼られている。このため、上カバー６３の被摺動領域６０では、テープ６００の開口６０１によって凹部が形成され、その周辺部分６０２によって凸部が形成されており、この周辺部分６０２によって構成された凸部のみを可撓性基板４が摺動することになる。ここで、テープ６００としては、摩擦係数が小さな材質のもの、あるいは表面に摩擦係数が小さなコーティングが施されているものなどを用いる。
【００２４】
（本形態の効果）
以上説明したように、本形態の光記録ディスク装置１では、上カバー６３の被摺動領域６０には、矩形の開口６０１が形成されたテープ６００が貼られ、このテープ６００によって、上カバー６３の被摺動領域６０には凹凸を備えた被摺動面が構成されている。このため、本形態では、テープ６００の開口６０１を囲む周辺部分６０２によって構成された凸部の上のみを可撓性基板４が摺動することになり、上カバー６３と可撓性基板４との実質的な接触面積が狭い。従って、光記録ディスク装置１をノートパソコンなどに搭載するにあたって、厚さ寸法を例えば２０ｍｍ程度にまで薄型化したために可撓性基板４の断面Ｕ字状の折り曲げ部分４０で発生する形状復帰力が大きい場合でも、可撓性基板４と上カバー６３との間に発生する摺動抵抗力が小さい。それ故、可撓性基板４と上カバー６３との摺動部分がフレーム３を光記録ディスク９の半径方向に移動させる際の動きを阻害しない。よって、フレーム３を移動させるためのモータの定格を大きくする必要がなく、かつ、信頼性の向上を図ることができる。
【００２５】
また、本形態では、テープ６００として、表面の摩擦係数の低いものを選択して上カバー６３に貼るだけでよいので、その他の部分については設計変更を行う必要がない。ここで、テープ６００を貼ると、その厚さの分だけより可撓性基板４を狭い空間内で折り曲げることになるが、本形態では、接触面積を低減してあるので、その分の摺動抵抗力を相殺できる。それ故、表面の摩擦係数の小さいテープ６００を使用したことの効果をそのまま生かすことができる。
【００２６】
また、本形態では、可撓性基板４として、折り曲げ部分４０から他方端４２の幅寸法Ｗ２が狭いものが用いられているため、可撓性基板４と上カバー６３との接触面積を低減でき、かつ、可撓性基板４の折り曲げ部分４０で発生する形状復帰力を小さく抑えることができる。従って、可撓性基板４の断面Ｕ字状の折り曲げ部分４０が上カバー６３上を摺動する際の摺動抵抗力をさらに低減することができる。
【００２７】
（その他の実施の形態）
上記形態では、中抜きしたテープ６００を用いたが、図５に示すように、被摺動領域６０に対して、フレーム３の移動方向（矢印Ｒで示す）に細長く延びた複数枚のテープ６００を幅方向で所定の間隔に並べてもよい。このように構成すると、テープ６００によって凸部が形成され、その隙間６０３によって凹部が形成されるので、シャーシ６側の上カバー６３と可撓性基板４との接触面積を狭くできる。
【００２８】
また、図６に示すように、被摺動領域６０に対して、フレーム３の移動方向（矢印Ｒで示す）に凸部６０４が並んだテープ６００を幅方向を貼ってもよい。このように構成すると、テープ６００の凸部６０４と、テープ６００の基材表面６０５が構成する凹部とによって凹凸を備えた被摺動面が形成される。従って、シャーシ６側の上カバー６３と可撓性基板４との接触面積を狭くできる。
【００２９】
さらに、図７に示すように、上カバー６３の被摺動領域６０に機械加工を施して、フレーム３の移動方向（矢印Ｒで示す）に細長く延びた凸部６３１と凹部６３２とを形成してもよい。また、図８に示すように、上カバー６３の被摺動領域６０に機械加工を施して、フレーム３の移動方向（矢印Ｒで示す）に複数の凸部６３３を並んだように形成し、その他の領域６３４を凹部としてもよい。さらにまた、被摺動領域６０にフッ素樹脂、高分子ＰＥ等の低摩擦材料をコーティングすれば、さらに摺動抵抗力を小さくすることができる。
【産業上の利用可能性】
【００３０】
本発明の光記録ディスク装置では、フレームが移動する際にシャーシの側で可撓性基板が摺動する被摺動領域には、可撓性基板との接触面積を低減した被摺動面が構成されているため、可撓性基板の断面Ｕ字状の折り曲げ部分がシャーシの側を摺動する際の摺動抵抗力を低減することができる。
【図面の簡単な説明】
【００３１】
【図１】本発明を適用した光記録ディスク装置の概略斜視図である。
【図２】図１に示す光記録ディスク装置の要部を模式的に示す断面である。
【図３】図１に示す光記録ディスク装置の底面図である。
【図４】図１に示す光記録ディスク装置に使用した可撓性基板の被摺動部分の構造を模式的に示す説明図である。
【図５】（ａ）、（ｂ）は、図１に示す光記録ディスク装置における可撓性基板の被摺動部分の変形例１の平面図、および断面図である。
【図６】（ａ）、（ｂ）は、図１に示す光記録ディスク装置における可撓性基板の被摺動部分の変形例２の平面図、および断面図である。
【図７】（ａ）、（ｂ）は、図１に示す光記録ディスク装置における可撓性基板の被摺動部分の変形例３の平面図、および断面図である。
【図８】（ａ）、（ｂ）は、図１に示す光記録ディスク装置における可撓性基板の被摺動部分の変形例４の平面図、および断面図である。
【図９】従来の光記録ディスク装置に使用した可撓性基板の被摺動部分の構造を模式的に示す説明図である。
【符号の説明】
【００３２】
１  光記録ディスク装置
２  光ヘッド機構
３  フレーム
４  可撓性基板
６  シャーシ
８  ディスク駆動機構
９  光記録ディスク
４０  折り曲げ部分
４１  一方端
４２  他方端
５１、５２  ガイド軸
６０  被摺動領域
６３  シャーシ側の上カバー
６００  テープ
【図１】
2005078711.tif 000003
【図２】
2005078711.tif 000004
【図３】
2005078711.tif 000005
【図４】
2005078711.tif 000006
【図５】
2005078711.tif 000007
【図６】
2005078711.tif 000008
【図７】
2005078711.tif 000009
【図８】
2005078711.tif 000010
【図９】
2005078711.tif 000011